(57)【要約】【課題】破損したカードや透明部分を有するカードのような特殊カードに対しても、正常にカード処理を行えるＩＣカード処理装置を提供する。【解決手段】モータを駆動してＩＣカードを搬送する間、センサがカードを検知したかどうかを監視する。センサがカードを検知すると、その時点からタイマをスタートさせ、カードの搬送時間を計数する。タイマの時間計数値が所定値になると、モータとタイマを停止させ、その後、ＩＣカードへ電源を供給する活性化処理を行う。【選択図】図６
2009110280.tif 000002
【特許請求の範囲】
【請求項１】
ＩＣカードを受け付けて所定の処理を行うＩＣカード処理装置において、
前記ＩＣカードのＩＣ端子と接触するＩＣ接点部と、
前記ＩＣカードを搬送する搬送手段と、
前記搬送手段により搬送されるＩＣカードの所定位置からの搬送時間を計数する計数手段と、
前記ＩＣカードのＩＣ端子が前記ＩＣ接点部と接触した状態で、当該ＩＣカードを活性化する活性化手段とを備え、
前記活性化手段は、前記計数手段で計数した時間が所定値に達したときに、前記ＩＣカードを活性化することを特徴とするＩＣカード処理装置。
【請求項２】
ＩＣカードを受け付けて所定の処理を行うＩＣカード処理装置において、
前記ＩＣカードのＩＣ端子と接触するＩＣ接点部と、
前記ＩＣカードを搬送する搬送手段と、
前記ＩＣカードのＩＣ端子が前記ＩＣ接点部と接触した状態で、当該ＩＣカードを活性化する活性化手段と、
前記搬送手段により搬送されるＩＣカードが、前記ＩＣ端子と前記ＩＣ接点部とが接触する位置に存在するか否かを検知する検知手段とを備え、
前記活性化手段は、ＩＣカードを活性化した後に前記検知手段の検知結果が変化しても、当該ＩＣカードを非活性化せずに活性化状態を維持することを特徴とするＩＣカード処理装置。
【請求項３】
ＩＣカードを受け付けて所定の処理を行うＩＣカード処理装置において、
前記ＩＣカードのＩＣ端子と接触するＩＣ接点部と、
前記ＩＣカードを搬送する搬送手段と、
前記搬送手段により搬送されるＩＣカードの所定位置からの搬送時間を計数する計数手段と、
前記搬送手段により搬送されるＩＣカードが、前記ＩＣ端子と前記ＩＣ接点部とが接触する位置に存在するか否かを検知する検知手段と、
前記ＩＣカードのＩＣ端子が前記ＩＣ接点部と接触した状態で、当該ＩＣカードを活性化する活性化手段とを備え、
前記活性化手段は、前記計数手段で計数した時間が所定値に達したとき、または、前記検知手段によりＩＣカードが前記位置に存在することが検知されたときのいずれか早い時点で、当該ＩＣカードを活性化することを特徴とするＩＣカード処理装置。
【発明の詳細な説明】
【技術分野】
【０００１】
本発明は、自動取引装置などに搭載されるＩＣカード処理装置に関するものである。
【背景技術】
【０００２】
近年、急速な情報化社会の進展に伴い、企業や自治体等において、個人情報や機密情報に対するセキュリティ意識が高まっている。また、金融業界では、カード偽造による不正取引が大きな問題となっている。現在市場で使用されている磁気カードはデータ詐取や偽造がしやすいため、これに代わりＩＣカードが普及しつつある。ＩＣカードは内部にＣＰＵや記憶領域を持つカードであり、データの暗号化やユーザ認証を行うことでセキュリティ性を高めている。ＩＣカードは自動取引装置などに搭載されたＩＣカード処理装置に挿入され、ＩＣカード側のＩＣ端子と処理装置側の接点とを接触させた状態で、両者間で通信を行う。この接触を正確に行うことがＩＣカード処理装置に求められている。
【０００３】
下記の特許文献１には、ＩＣカード処理装置に挿入されたカードがＩＣカードか否かを検出する技術が開示されている。本技術では、発光素子と受光素子からなる光学センサを設け、発光素子からの光をＩＣカード表面の接点で反射させてその反射光を受光素子で受光することにより、ＩＣカードを検出するようにしている。
【特許文献１】実開昭６３-１５５５６１号公報
【発明の開示】
【発明が解決しようとする課題】
【０００４】
ＩＣカード処理装置において、ＩＣカードに対して正常に処理を行うためには、ＩＣカード上のＩＣ端子と、ＩＣカード処理装置のＩＣ接点部とを、正確な位置で接触させる必要がある。そこで、ＩＣ端子とＩＣ接点部とが確実に接触できる位置にＩＣカードを搬送させるために、ＩＣカードの位置をセンサで検知し、ＩＣカードが所定の位置にあるときに、ＩＣカードに電源を供給し（これを「活性化」と呼ぶ）、カード処理を行う。しかし、ＩＣカードが普及するにつれて、カードの長期使用により一部が破損したカードや、デザインの多様化による透明なカードなど、特殊な形態のカードが市場で使用されるようになってきた。このような特殊カードの場合、ＩＣカード上のＩＣ端子とＩＣカード処理装置のＩＣ接点部とが実際に接触しているにも関わらず、破損や透明に基因してセンサがカード位置を正常に検知できないため、ＩＣカード処理装置では、ＩＣカードがＩＣ接点部との接触位置にないと判断して、ＩＣカードに対する処理を行えないことがあった。また、特許文献１の技術では、光学センサにより、挿入されたカードがＩＣカードかどうかは検出できるが、カードがＩＣ端子とＩＣ接点部とが確実に接触した位置にあるかどうかまでは検出することができない。
【０００５】
また一方で、ＩＣカードの処理中に外力や振動などによってカードが不意に移動したり、ユーザによってカードが故意に引き抜かれたりすると、カード位置検知センサはＩＣカードを検知しなくなる。この場合、ＩＣカードの破壊を防ぐために、ＩＣカード処理装置はＩＣカードに供給していた電源を所定の処理に従って遮断する（これを「非活性化」と呼ぶ）。しかし、上述の破損したカードや透明なカードでは、カード位置検知センサがＯＮになったりＯＦＦになったりして不定な状態になることがある。このため、ＩＣカードの処理開始時にはカード位置検知センサがカードを検知していても、カードの微小な移動でセンサがＯＦＦになり、ＩＣカードが非活性化されて、カード処理が中断されてしまう場合が考えられる。
【０００６】
そこで、本発明の目的は、破損したカードや透明部分を有するカードのような特殊カードに対しても、正常にカード処理を行えるＩＣカード処理装置を提供することにある。
【０００７】
本発明の他の目的は、カード処理中にＩＣカードの移動によってカードが検知されなくなっても、カード処理を正常に続行できるＩＣカード処理装置を提供することにある。
【課題を解決するための手段】
【０００８】
第１の発明では、ＩＣカードを受け付けて所定の処理を行うＩＣカード処理装置において、ＩＣカードのＩＣ端子と接触するＩＣ接点部と、ＩＣカードを搬送する搬送手段と、この搬送手段により搬送されるＩＣカードの所定位置からの搬送時間を計数する計数手段と、ＩＣカードのＩＣ端子がＩＣ接点部と接触した状態で、当該ＩＣカードを活性化する活性化手段とを備える。そして、活性化手段は、計数手段で計数した時間が所定値に達したときに、ＩＣカードを活性化する。
【０００９】
このように構成したので、ＩＣカードの一部が欠けていたり、ＩＣカードの一部に透明部分が含まれていても、センサによる位置検知とは無関係に、計数手段で計数した時間が所定値になった時点、すなわちカード側のＩＣ端子と処理装置側のＩＣ接点部とが接触する位置までＩＣカードが搬送された時点で、ＩＣカードが活性化される。したがって、上記のような特殊なＩＣカードに対しても、正常にカード処理を行うことが可能となる。
【００１０】
第２の発明では、ＩＣカードを受け付けて所定の処理を行うＩＣカード処理装置において、ＩＣカードのＩＣ端子と接触するＩＣ接点部と、ＩＣカードを搬送する搬送手段と、ＩＣカードのＩＣ端子がＩＣ接点部と接触した状態で、当該ＩＣカードを活性化する活性化手段と、搬送手段により搬送されるＩＣカードが、ＩＣ端子とＩＣ接点部とが接触する位置に存在するか否かを検知する検知手段とを備える。そして、活性化手段は、ＩＣカードを活性化した後に検知手段の検知結果が変化しても、当該ＩＣカードを非活性化せずに活性化状態を維持する。
【００１１】
このように構成したので、ＩＣカードが活性化された後に、カードの微小な移動で検知手段の出力状態が変化した場合でも、カードの非活性化を行わずに活性化状態が維持されるため、カード処理を継続することができる。従来は、このような不意のカード移動があると、カード処理装置ではセンサ異常によるハードウェア障害と判断され、保守員が出動することになるが、本発明ではこれを防ぐことが可能になる。
【００１２】
第３の発明では、ＩＣカードを受け付けて所定の処理を行うＩＣカード処理装置において、ＩＣカードのＩＣ端子と接触するＩＣ接点部と、ＩＣカードを搬送する搬送手段と、この搬送手段により搬送されるＩＣカードの所定位置からの搬送時間を計数する計数手段と、搬送手段により搬送されるＩＣカードが、ＩＣ端子とＩＣ接点部とが接触する位置に存在するか否かを検知する検知手段と、ＩＣカードのＩＣ端子がＩＣ接点部と接触した状態で、当該ＩＣカードを活性化する活性化手段とを備える。そして、活性化手段は、計数手段で計数した時間が所定値に達したとき、または、検知手段によりＩＣカードが上記位置に存在することが検知されたときのいずれか早い時点で、当該ＩＣカードを活性化する。
【００１３】
このように構成したので、ＩＣカードが所定時間搬送された時点、あるいはＩＣカードが所定位置にあることが検知された時点のいずれか早い方のタイミングで、ＩＣカードの活性化を開始することができ、カード処理に要する時間を短縮することができる。例えば、自動取引装置に搭載されるカード処理装置の場合、取引時間の短縮が可能となる。また、計数手段と検知手段の一方に障害が発生した場合でも、他方の出力に基づいてＩＣカードを活性化することができるので、自動取引装置等の稼働を停止させずに処理を続行することが可能となる。
【発明の効果】
【００１４】
本発明によれば、ＩＣカードが所定時間搬送された時点でカードを活性化することで、破損したカードや透明部分を有するカードのような特殊カードに対しても、正常にカード処理を行うことが可能となる。また、ＩＣカードを活性化した後にカード検知状態が変化した場合でも、カードの活性化状態を維持することで、活性化に影響しない程度のカードの微小な移動があっても、カード処理を継続することができる。さらに、カード搬送時間とカード位置の双方を監視し、早い方の出力が得られた時点でＩＣカードを活性化することで、カード処理時間を短縮することができる。
【発明を実施するための最良の形態】
【００１５】
以下、図面を参照して、本発明の実施形態を説明する。以下の実施形態では、銀行などの金融機関に設置されるＡＴＭ(Automated Teller Machine)のような自動取引装置に搭載されるＩＣカード処理装置を例に挙げる。
【００１６】
図１は、本発明の実施形態に係るＩＣカード処理装置１と上位装置２との接続図である。ＩＣカード処理装置１は、銀行等に設置され顧客の操作によって現金の入金や出金等の取引を行う自動取引装置の内部に設けられ、通信線を介して上位装置２と接続されている。上位装置２は、例えばＡＴＭである。ＩＣカード処理装置１は、利用者が挿入したＩＣカード４を内部に取り込んで、カードから読み取ったデータを上位装置２へ送信したり、上位装置２から送られてきたデータをカードに書き込んだりする処理を行う。また、ＩＣカード処理装置１は、電源３から電源供給を受ける。ＩＣカード４は、データを記憶したＩＣチップ（図示省略）を内蔵しているとともに、カード表面にＩＣ端子２０を備えており、このＩＣ端子２０は内部のＩＣチップと電気的に接続されている。
【００１７】
図２はカード処理装置１の内部ブロック図である。図２において、ＣＰＵ５は、カード処理装置１全体の動作を制御する制御部としての機能を有する。記憶部６は例えばＳＲＡＭからなり、ＣＰＵ５が各部を制御するための制御データ等が読み書き可能に記憶される。タイマ７は、ＩＣカード４の搬送時間を計数するために設けられている。センサ８は、図３に示した複数のセンサ８ａ，８ｂ，８ｃから構成される。ＩＣカード制御回路９は、カード処理装置１で取り扱い可能な媒体のデータを読み書き制御する制御回路であって、ＣＰＵ５によって制御される。このＩＣカード制御回路９は、後述するカードの活性化処理や非活性化処理も行う。ＩＣ接点部１０は、ＩＣカード４のＩＣ端子２０と接触する接触部である。ソレノイド１１は、カード搬送路にＩＣ接点部１０を突出させるための駆動源である。モータ１２は、図３に示したカード搬送用のローラ１４を回転させるための駆動源である。通信制御部１３は、上位装置２と相互に通信を行うためのインターフェイスである。
【００１８】
図３はカード処理装置１の概略機構図である。筐体１５の前方（左側）には、カード挿入口１６が設けられており、このカード挿入口１６から挿入されたＩＣカード４を内部に搬送するための複数のローラ１４が搬送路に設けられている。ローラ１４は、モータ１２（図２）の正転によりＩＣカード４をＡ方向に搬送し、モータ１２の逆転によりＩＣカード４をＢ方向に搬送する。センサ８ａ，８ｂ，８ｃは、それぞれ一対の発光素子と受光素子からなる光センサであり、搬送中のＩＣカード４の位置（前部、中央、後部）を検知する。後部に配置されたＩＣ接点部１０は、ＩＣカード４のＩＣ端子２０と接触して、カード内部のＩＣチップに記憶された情報を読み取り、必要によりＩＣチップに情報を書き込む。処理が終了したＩＣカード４は、Ｂ方向に搬送されてカード挿入口１６から外部へ排出される。なお、図２および図３で示したカード処理装置１の構成は一例であり、これ以外にも種々の形態が考えられる。
【００１９】
以上の構成において、モータ１２およびローラ１４は、本発明における搬送手段の一実施形態を構成し、タイマ７は本発明における計数手段の一実施形態を構成し、センサ８ｃは本発明における検知手段の一実施形態を構成し、ＩＣカード制御回路９は本発明における活性化手段の一実施形態を構成している。
【００２０】
上記のようなカード処理装置１において、ＩＣカード４のＩＣ端子２０がＩＣ接点部１０と接触したことを検知する一般的な方法は、センサ８ｃのＯＮ／ＯＦＦを監視する方法である。すなわち、モータ１２を駆動してＩＣカード４を図３のＡ方向へ搬送すると、ＩＣカード４の前端部がセンサ８ｃに至るまでは、図４（ａ）に示すように、センサ８ｃはＯＦＦの状態（カード検知信号を出力していない状態）にある。ＩＣカード４の前端部がセンサ８ｃの上まで搬送されると、図４（ｂ）に示すように、センサ８ｃがＯＮの状態（カード検知信号を出力している状態）に切り替わる。これによって、ＩＣカード４が所定位置、すなわちＩＣ端子２０がＩＣ接点部１０と接触可能となるカード位置（以下、「接触位置」という）まで搬送されたことが検知される。
【００２１】
しかし、この方法では、図５（ａ）に示すように、ＩＣカード４に欠損部４ａがあった場合に、センサ８ｃがＩＣカード４を検知した時点では、図５（ｂ）に示すように、ＩＣカード４は本来の位置（図４（ｂ））よりも前方にある。したがって、ＩＣカード４に設けられているＩＣ端子２０の位置も、破線で示す本来の位置、すなわちＩＣ接点部１０と接触可能な位置からずれたものとなる。このような状態が発生した場合、ＩＣカード処理装置１では、センサ８ｃがＩＣカード４を検知していることから、カードが正規の接触位置にあると判断し、ＩＣカード４の活性化（電源供給）を行なう。しかるに、ＩＣカード４のＩＣ端子２０の位置がずれているために、ＩＣ接点部１０とＩＣ端子２０とが接触せず、ＩＣカード４に電源供給ができないので、活性化は不可能となる。また、これとは逆に、ＩＣカード４のＩＣ端子２０とＩＣ接点部１０とが実際に接触しているにもかかわらず、センサ８ｃがＩＣカード４を検知しないことから、カードが正規の接触位置にないと判断し、ＩＣカード４の処理が行えなくなるという現象も起こりうる。本発明では、このような不具合を以下に述べるような方法で解決している。
【００２２】
図６は、本発明の実施形態に係るカード処理手順を示したフローチャートである。フローチャートの右側には、カードの搬送状態を示す図を処理ステップに対応して併記してある。図６の手順は、図２のＣＰＵ５によって実行される。
【００２３】
ＩＣカード処理装置１のカード挿入口１６からＩＣカード４が挿入されると、ソレノイド１１をＯＮにして（ステップＳ１）、ＩＣ接点部１０をカード搬送路に突出させる。次に、モータ１２を駆動してローラ１４を回転させ、ＩＣカード４を搬送する（ステップＳ２）。この間、カード位置を検知するセンサ８ｂがＩＣカード４を検知したかどうかを監視する（ステップＳ３）。センサ８ｂがＩＣカード４を検知すると（ステップＳ３：ＹＥＳ）、この時点からＩＣカード４の搬送時間を計数するタイマ７をスタートさせ（ステップＳ４)、タイマ７の時間計数値が所定値になったか否か、すなわち、センサ８ｂがＩＣカード４を検知してから、一定時間が経過したかどうかを判定する（ステップＳ５）。ここで、上記所定値は、ＩＣカード４がセンサ８ｂで検知されてから前述の接触位置（ＩＣ端子２０がＩＣ接点部１０と接触可能となるカード位置）に至るまでの時間に設定されている。一定時間が経過した場合は（ステップＳ５：ＹＥＳ）、モータ１２を停止させ（ステップＳ６）、同時にタイマ７も停止させる（ステップＳ７）。その後、ＩＣカード制御回路９がＩＣカード４に対して活性化を行う（ステップＳ８）。活性化により、ＩＣカード４に電源が供給され、またクロック信号なども供給される。
【００２４】
これにより、ＩＣカード４の一部が欠けていたり、ＩＣカード４の一部に透明部分が含まれていても、センサ８ｃによる位置検知とは無関係に、タイマ７が計数した時間が所定値になった時点、すなわちＩＣカードが接触位置まで搬送された時点で、ＩＣカードが活性化される。したがって、上記のような特殊なＩＣカードに対しても、正常にカード処理を行うことが可能となる。
【００２５】
図７は、本発明の他の実施形態に係るカード処理手順を示したフローチャートである。ここでも、フローチャートの右側には、カードの搬送状態を示す図を処理ステップに対応して併記してある。図７の手順は、図２のＣＰＵ５によって実行される。
【００２６】
ＩＣカード処理装置１のカード挿入口１６からＩＣカード４が挿入されると、ソレノイド１１をＯＮにして（ステップＳ１１）、ＩＣ接点部１０をカード搬送路に突出させる。次に、モータ１２を駆動してローラ１４を回転させ、ＩＣカード４を搬送する（ステップＳ１２）。この間、カード位置を検知するセンサ８ｂがＩＣカード４を検知したかどうかを監視する（ステップＳ１３）。センサ８ｂがＩＣカード４を検知すると（ステップＳ１３：ＹＥＳ）、この時点からＩＣカード４の搬送時間を計数するタイマ７をスタートさせ（ステップＳ１４)、タイマ７の時間計数値が所定値になったか否か、すなわち、センサ８ｂがＩＣカード４を検知してから、一定時間が経過したかどうかを判定する（ステップＳ１５）。ここで、上記所定値は、ＩＣカード４がセンサ８ｂで検知されてから接触位置に至るまでの時間に設定されている。
【００２７】
一定時間が経過した場合は（ステップＳ１５：ＹＥＳ）、モータ１２を停止させ（ステップＳ１７）、同時にタイマ７も停止させる（ステップＳ１８）。その後、ＩＣカード制御回路９がＩＣカード４に対して活性化を行う（ステップＳ１９）。活性化により、ＩＣカード４に電源が供給され、またクロック信号なども供給される。一方、ステップＳ１５で一定時間が経過してなければ(ステップＳ１５：ＮＯ)、センサ８ｃがＩＣカード４を検知したかどうかを判定する（ステップＳ１６）。センサ８ｃは、ＩＣカード４が接触位置に来たときにカードを検知してＯＮとなるように、その位置が設定されている。センサ８ｃがＯＮでなければ（ステップＳ１６：ＮＯ）、ステップＳ１５へ戻ってタイマ７の計数値を監視し、センサ８ｃがＯＮであれば（ステップＳ１６：ＹＥＳ）、モータ１２を停止させ（ステップＳ１７）、タイマ７を停止させて（ステップＳ１８）、ＩＣカード４の活性化を行う（ステップＳ１９）。
【００２８】
これにより、ＩＣカード４がセンサ８ｂで検知されてから所定時間搬送された時点、あるいはＩＣカード４が接触位置にあることがセンサ８ｃによって検知された時点のいずれか早い方のタイミングで、ＩＣカードの活性化が開始される。したがって、センサ８ｃが接触位置に来たＩＣカード４を検知した場合は、タイマ７で一定時間が経過するのを待たずに直ちにカードを活性化できるので、カード処理に要する時間を短縮することができる。この結果、自動取引装置における取引時間の短縮が可能となる。また、タイマ７とセンサ８ｃの一方に障害が発生した場合でも、他方の出力に基づいてＩＣカード４を活性化することができるので、自動取引装置の稼働を停止させずに処理を続行することが可能となる。
【００２９】
次に、ＩＣカード４を活性化した後に、非活性化を行う場合の処理について説明する。図８は、従来から行われている一般的な非活性化の手順を示したフローチャートである。ＩＣカード処理装置１は、ＩＣカード４を活性化した後、センサ８ｃの状態を監視する（ステップＳ２１）。センサ８ｃがＯＮ、すなわちＩＣカード４が接触位置にあれば（ステップＳ２１：ＹＥＳ）、次に上位装置２から明示的な非活性化指示を受信したかどうかを監視する（ステップＳ２２）。上位装置２から非活性化指示がない場合は（ステップＳ２２：ＮＯ）、活性化状態を維持したままセンサ８ｃの監視を行い（ステップＳ２１）、センサ８ｃがＯＮである間は、上位装置２からの非活性化指示を待つ（ステップＳ２２）。一方、センサ８ｃのＯＦＦを検知した場合は（ステップＳ２１：ＮＯ）、ＩＣカード４に対して非活性化処理を行い（ステップＳ２３）、カードに供給されている電源を遮断する。また、上位装置２から非活性化指示を受信した場合も（ステップＳ２２：ＹＥＳ）、ＩＣカード４の非活性化処理を行い（ステップＳ２３）、カードへの電源供給を遮断する。
【００３０】
しかし、この方法では、図５のような欠損部４ａのあるＩＣカード４や、一部が透明なＩＣカードの場合、外力や振動などによってカードが不意に移動すると、センサ８ｃの状態がＯＮからＯＦＦに変化し（ステップＳ２１：ＮＯ）、非活性化処理が行われるので（ステップＳ２３）、カードへの電源供給が断たれて、カード処理が中断されてしまうことになる。
【００３１】
そこで本発明では、ＩＣカード４を活性化した後にセンサ８ｃの検知結果が変化しても、ＩＣカード４を非活性化せずに活性化状態を維持するようにしている。図９は、本発明の実施形態に係る非活性化の手順を示したフローチャートである。この手順においては、図８の場合のようにセンサ８ｃの状態を監視せず、上位装置２から非活性化指示を受信したかどうかだけを監視する（ステップＳ３１）。そして、上位装置２から非活性化指示がない間は（ステップＳ３１：ＮＯ）、ＩＣカード４の活性化状態を維持し、上位装置２から活性化指示があった時点で（ステップＳ３１：ＹＥＳ）、ＩＣカード４の非活性化処理を行い（ステップＳ３２）、カードへの電源供給を遮断する。
【００３２】
これにより、ＩＣカード４が活性化された後に、カードの微小な移動でセンサ８ｃの出力状態がＯＮからＯＦＦに変化した場合でも、カードの非活性化を行わずに活性化状態が維持されるため、カード処理を継続することができる。また、このような不意のカード移動があった場合、従来は、センサ異常によるハードウェア障害と判断して処理を中断し、保守員が対応していたが、本発明ではセンサ８ｃの出力状態に関係なく処理を続行できるので、保守員の出動も不要となる。
【００３３】
本発明では、以上述べた実施形態以外にも、種々の実施形態を採用することができる。例えば、前記の実施形態では、センサ８ｂがＩＣカード４を検知した時点からタイマ７をスタートさせたが（図６のステップＳ３〜Ｓ４、図７のステップＳ１３〜Ｓ１４）、センサ８ａがＩＣカード４を検知した時点からタイマ７をスタートさせてもよい。この場合は、ＩＣカード４がセンサ８ａで検知されてから接触位置に至るまでの時間を、タイマ７の所定値として設定すればよい。
【００３４】
また、前記の実施形態では、ＩＣカード４を検知する手段として、光センサ８ａ，８ｂ，８ｃを例に挙げたが、本発明の検知手段は光センサに限らず、マイクロスイッチなどの機械的センサであってもよい。
【００３５】
また、前記の実施形態では、ソレノイド１１によってＩＣ接点部１０をＩＣカード４のＩＣ端子２０に接触させたが、ＩＣ接点部１０をＩＣカード４に押されてスライドする機構とし、ＩＣカード４の搬送につれてＩＣ接点部１０がＩＣ端子２０に接触するようにしてもよい。この場合は、ソレノイド１１が不要となる。
【００３６】
また、前記の実施形態では、モータ１２によりローラ１４を回転させてＩＣカード４を搬送する自動搬送式のＩＣカード処理装置１を例に挙げたが、ＩＣカード４を手動で挿入するＩＣカード処理装置にも本発明を適用することができる。
【００３７】
さらに、前記の実施形態では、ＩＣカード処理装置１をＡＴＭなどの自動取引装置に搭載した例を挙げたが、本発明のＩＣカード処理装置は、自動取引装置だけに限らず、ＩＣカードを取り扱う装置全般に適用することができる。
【図面の簡単な説明】
【００３８】
【図１】本発明の実施形態に係るＩＣカード処理装置と上位装置との接続図である。
【図２】カード処理装置の内部ブロック図である。
【図３】カード処理装置の概略機構図である。
【図４】正常なＩＣカードの検知を説明する図である。
【図５】欠損部のあるＩＣカードの検知を説明する図である。
【図６】本発明の実施形態に係るカード処理手順を示したフローチャートである。
【図７】本発明の他の実施形態に係るカード処理手順を示したフローチャートである。
【図８】従来から行われている一般的な非活性化の手順を示したフローチャートである。
【図９】本発明の実施形態に係る非活性化の手順を示したフローチャートである。
【符号の説明】
【００３９】
１    ＩＣカード処理装置
２    上位装置
３    電源
４    ＩＣカード
４ａ  欠損部
５    ＣＰＵ
６    記憶部
７    タイマ
８，８ａ，８ｂ，８ｃ  センサ
９    ＩＣカード制御回路
１０  ＩＣ接点部
１１  ソレノイド
１２  モータ
１３  通信制御部
１４  ローラ
１５  筐体
１６  カード挿入口
２０  ＩＣ端子
【図１】
2009110280.tif 000003
【図２】
2009110280.tif 000004
【図３】
2009110280.tif 000005
【図４】
2009110280.tif 000006
【図５】
2009110280.tif 000007
【図６】
2009110280.tif 000008
【図７】
2009110280.tif 000009
【図８】
2009110280.tif 000010
【図９】
2009110280.tif 000011